(57)【特許請求の範囲】
【請求項１】
ビデオデータ、オーディオデータ及びサブピクチャデータが記録されたディスクを再生して再生データを出力する再生部と、前記再生部が再生した再生データからビデオデータ、オーディオデータ、サブピクチャデータを分離するデータ分離部と、前記オーディオデータをデコードするオーディオデコーダと、前記ビデオデータをデコードするビデオデコーダと、前記サブピクチャデータをデコードするサブピクチャデコーダと、前記ビデオデコーダがデコードしたビデオデータを出力するビデオ出力部と、前記オーディオデコーダがデコードしたオーディオデータを出力するオーディオ出力部と、複数のストリームの前記オーディオデータ又は複数のストリームの前記サブピクチャデータを検出し、かつ、前記オーディオデータがマルチチャンネルオーディオデータのオーディオデータであることを検出し、前記オーディオデコーダにマルチチャンネルオーディオデータのセンターチャンネルのオーディオデータの信号レベルを増大させる制御を行う制御部とを備えることを特徴とするディスク再生装置。
【請求項２】
請求項１記載のディスク再生装置において、前記制御部は、複数のストリームの前記オーディオデータ又は複数のストリームの前記サブピクチャデータを検出し、かつ、前記オーディオデータがマルチチャンネルのオーディオデータ以外のデータであることを検出し、前記オーディオデコーダにオーディオデータのダイナミックレンジを圧縮させる制御を行うことを特徴とするディスク再生装置。
【請求項３】
請求項１記載のディスク再生装置において、
前記制御部は、複数のストリームの前記オーディオデータ又は複数のストリームの前記サブピクチャデータを検出し、かつ、前記オーディオデータがマルチチャンネルのオーディオデータ以外のデータであることを検出し、前記オーディオデコーダに前記オーディオデータの音声が含まれる周波数帯域の信号レベルを増大させる制御を行うことを特徴とするディスク再生装置。
【発明の詳細な説明】
【０００１】
【発明の属する技術分野】
本発明は、オーディオ信号及びビデオ信号が記録されたディスクを再生するディスク再生装置に関する。
【０００２】
【従来の技術】
オーディオ信号及びビデオ信号が記録されたディスクとして、デジタル・バーサタイル・ディスク（ＤＶＤ：Digital Versatile Disk）がある。ＤＶＤを再生する再生装置には、映画などを鑑賞する場合に、比較的小さい音量で再生される場合においても、音声等の音を明瞭に聞き取るための機能として、ダイナミックレンジコンプレッション機能や、ダイアログエンハンサー機能がある。
【０００３】
ダイナミックレンジコンプレッション機能は、オーディオ信号のダイナミックレンジを圧縮して衝撃音などの信号レベルが大きい部分の信号レベルを低くして小音量のセリフ等の音量を増し、衝撃音などの信号レベルの高い部分が煩くなく、セリフ等を聞き易くする機能である。
【０００４】
ダイアログエンハンサー機能は、ＤＶＤに記録されているオーディオ信号がマルチチャンネルのオーディオ信号の場合に、セリフのオーディオ信号が含まれるセンターチャンネルの信号レベルを強調し、セリフの信号レベルを高くしてセリフを聞き易くする機能である。
【０００５】
【発明が解決しようとする課題】
ＤＶＤを再生するディスク再生装置において、前述したダイナミックレンジコンプレッション機能とダイアログエンハンサー機能のオンオフの切り替えは、再生装置の操作部又はリモコンを用い、ディスク再生装置に接続されたモニタ等の画面にメニュー画面を表示し、字幕言語の選択等とともにメニュー画面に基づいて行う。
【０００６】
また、これらの機能が作動しているか否かは、メニュー画面を表示しなければ確認することができない。
【０００７】
このため、前述したダイナミックレンジコンプレッション機能及びダイアログエンハンサー機能のオンオフの設定や、これらの機能が作動していることの確認は、メニュー画面表示のための操作が必要となり、操作が煩わしい。
【０００８】
特に、ディスクを再生し、映画をしばらく視聴した後に、これらの機能が作動していないことに気づき、モニタにメニュー画面を表示させて設定の変更を行うには、視聴している映画の再生を中断しなければならなかった。
【０００９】
本発明は、ディスクに記録された情報の種類に応じて、自動的にダイナミックレンジコンプレッション機能又はダイアログエンハンサー機能のオンオフの設定を行うディスク再生装置を提供することを目的とする。
【００１０】
【課題を解決するための手段】
本願の発明は、ビデオデータ、オーディオデータ及びサブピクチャデータが記録されたディスクを再生して再生データを出力する再生部と、前記再生部が再生した再生データからビデオデータ、オーディオデータ、サブピクチャデータを分離するデータ分離部と、前記オーディオデータをデコードするオーディオデコーダと、前記ビデオデータをデコードするビデオデコーダと、前記サブピクチャデータをデコードするサブピクチャデコーダと、前記ビデオデコーダがデコードしたビデオデータを出力するビデオ出力部と、前記オーディオデコーダがデコードしたオーディオデータを出力するオーディオ出力部と、複数のストリームの前記オーディオデータ又は複数のストリームの前記サブピクチャデータを検出し、かつ、前記オーディオデータがマルチチャンネルオーディオデータのオーディオデータであることを検出し、前記オーディオデコーダにマルチチャンネルオーディオデータのセンターチャンネルのオーディオデータの信号レベルを増大させる制御を行う制御部とを備えることを特徴とする。
【００１１】
本願の発明は、前述したディスク再生装置において、前記制御部は、複数のストリームの前記オーディオデータ又は複数のストリームの前記サブピクチャデータを検出し、かつ、前記オーディオデータがマルチチャンネルのオーディオデータ以外のデータであることを検出し、前記オーディオデコーダにオーディオデータのダイナミックレンジを圧縮させる制御を行うことを特徴とする。
【００１２】
本願の発明は、前述したディスク再生装置において、前記制御部は、複数のストリームの前記オーディオデータ又は複数のストリームの前記サブピクチャデータを検出し、かつ、前記オーディオデータがマルチチャンネルのオーディオデータ以外のデータであることを検出し、前記オーディオデコーダに前記オーディオデータの音声が含まれる周波数帯域の信号レベルを増大させる制御を行うことを特徴とする。
【００１３】
【発明の実施の形態】
図１は、本発明のディスク再生装置の一実施例の概略構成を示す模式図である。
ディスク再生装置１０１は、ディスク再生部１０２、データデコーダ１０３、データ分離部１０４、ＡＶ（Audio Visual）デコーダ１０５、オーディオ出力部１０６、ビデオ重畳部１０７、ビデオ出力部１０８、操作部１０９、表示部１１０、制御部１１１を備える。
【００１４】
ディスク再生部１０２は、光ディスク１１２を再生し、再生データを出力する。本実施例では、光ディスク１１２をビデオ信号及びオーディオ信号が記録されたＤＶＤとする。
【００１５】
ここで、ＤＶＤに記録されているデータの概略について説明する。
図２は、ＤＶＤに記録されたデータを説明するための模式図である。
図２に示すように、ＤＶＤには、主映像のビデオデータと、音声、音楽等のオーディオデータと、字幕等の副映像のサブピクチャデータとが記録される。オーディオデータは、最大８ストリームまで記録することができる。映画が記録されるＤＶＤの場合、８種類の言語（例えば、英語、日本語など）の音声を記録することができる。サブピクチャデータは、最大３２ストリームまで記録することができ、３２種類の言語（例えば、日本語、英語など）の字幕を記録することができる。
【００１６】
図３は、ＤＶＤのデータフォーマットの概略を説明するための模式図である。ＤＶＤは、ディスクの内周部から順にリードイン領域、データ記録領域、リードアウト領域を有している。
【００１７】
データ記録領域は、論理フォーマットを管理するためのユニバーサル・ディスク・フォーマット（ＵＤＦ）、ディスクに記録されているデータ全体を制御するためのビデオ・マネージャー（ＶＭＧ）、ビデオデータ、オーディオデータ、サブピクチャデータ、これらのデータを制御するための制御データが記録される複数のビデオ・タイトル・セット（ＶＴＳ）からなる。
【００１８】
ビデオ・タイトル・セットは、当該ビデオ・タイトル・セットのコントロールデータとしてのビデオ・タイトル・セット・インフォメーション（ＶＴＳＩ）と、メニュー用ビデオ・オブジェクト・セット（メニュー用ＶＯＢＳ）と、タイトル用ビデオ・オブジェクト・セット（タイトル用ＶＯＢＳ）と、ビデオ・タイトル・セット・インフォメーションのバックアップのバックアップ（ＶＴＳＩバックアップ）とからなる。
【００１９】
このビデオ・タイトル・セット・インフォメーションには、ビデオ・タイトル・セットの管理情報テーブル（ＶＴＳＩ＿ＭＡＴ）があり、当該管理情報テーブルに、ＤＶＤに記録されているオーディオデータのストリーム数、および、サブピクチャデータのストリーム数が記録される。
【００２０】
ビデオ・オブジェクト・セットは、複数のビデオ・オブジェクト（ＶＯＢ）からなり、ビデオ・オブジェクトは、１又は複数のセル（ＣＥＬＬ）からなる。セルは、タイトルを再生するための基本単位となり、セルの組合せにより、１の映画を複数のストーリ展開で見ることができるマルチストーリや、一部のシーン等を飛ばして再生するパレンタルロックの機能が可能となる。
【００２１】
セルは、１又は複数のビデオ・オブジェクト・ユニット（ＶＯＢＵ）からなる。ビデオ・オブジェクト・ユニットは、ビデオデータが記録されたビデオパック（Ｖ＿Ｐａｃｋ）、オーディオデータが記録されたオーディオパック（Ａ＿Ｐａｃｋ）、サブピクチャデータが記録されたサブピクチャパック（ＳＰ＿Ｐａｃｋ）、ビデオデータ、オーディオデータ及びサブピクチャデータの再生制御を行うためのナビゲーションデータが記録されたナビゲーションパック（ＮＡＶ＿Ｐａｃｋ）からなる。
【００２２】
後述するＡＶデコーダ１０５は、デコードの基準となるシステムタイムクロックを有し、ビデオデータ、オーディオデータ及びサブピクチャデータは、システムタイムクロックを基準としてそれぞれデコードされ、サブピクチャデータは、ビデオデータに重畳されビデオ出力部１０８から出力され、オーディオデータは、オーディオ出力部１０６から出力される。
【００２３】
図１において、データデコーダ１０３は、ディスク再生部１０２から出力された再生データの復調及び誤り訂正等を行う。データデコーダ１０３は、再生データの中から、ビデオ・タイトル・セットのコントロールデータであるビデオ・タイトル・セット・インフォメーション（ＶＴＳＩ）等を抽出し、後述する制御部１１１に出力する。
【００２４】
データ分離部１０４は、データデコーダ１０３から出力された再生データを、ビデオデータ、オーディオデータ、サブピクチャデータに分離し出力する。
【００２５】
ＡＶデコーダ１０５は、ビデオデコーダ１１３、オーディオデコーダ１１４、サブピクチャデコーダ１１５を備える。ＡＶデコーダ１０５は、システムタイムクロックを有し、システムタイムクロックを基準に、それぞれのデータのデコードを行う。
【００２６】
ビデオデコーダ１１３は、データ分離部１０４から出力されたビデオデータをデコードする。
【００２７】
オーディオデコーダ１１４は、データ分離部１０４から出力されたオーディオデータの中から選択されたデータストリームのオーディオデータを抽出し、オーディオデータをデコードする。
【００２８】
ダイナミックレンジコンプレッション機能がオンに設定された場合、オーディオデコーダ１１４は、後述する制御部１１１の制御により、オーディオデータのダイナミックレンジを圧縮する信号処理を行う。
【００２９】
ダイアログエンハンサー機能がオンに設定された場合、オーディオデコーダ１１４は、後述する制御部１１１の制御により、マルチチャンネルオーディオデータのうちセリフ等の音声が含まれるセンターチャンネルのオーディオデータの信号レベルを増大する信号処理を行う。
【００３０】
また、オーディオデコーダ１１４は、オーディオデータのうち、セリフ等の音声が含まれる周波数帯域の信号レベルを増大する信号処理を行うようにしてもよい。
【００３１】
サブピクチャデコーダ１１５は、データ分離部１０４から出力されたサブピクチャデータの中から選択されたデータストリームのサブピクチャデータを抽出し、サブピクチャデータをデコードする。
【００３２】
オーディオ出力部１０６は、アナログ信号出力端子（図示せず）とデジタル信号出力端子（図示せず）を備える。オーディオ出力部１０６は、オーディオデータをデジタル信号のまま出力する場合には、オーディオデコーダ１１４から出力されたオーディオデータをデジタル出力端子から出力する。
【００３３】
オーディオ出力部１０６は、オーディオデータをアナログ信号で出力する場合には、オーディオデコーダ１１４から出力されたオーディオデータをデジタル・アナログ変換器（図示せず）によりアナログ信号に変換してアナログ出力端子から出力する。
【００３４】
ビテオ重畳部１０７は、ビデオデコーダ１１３から出力されたビデオデータに、サブピクチャデコーダ１１５から出力されたサブピクチャデータを重畳して出力する。
【００３５】
ビデオ出力部１０８は、ビデオ重畳部１０７から出力されたビデオデータを、ＮＴＳＣ（National Television System Committee）方式等のビデオ信号に変換して出力する。
【００３６】
操作部１０９は、再生開始、再生停止等の再生制御に関するボタンや、字幕や音声の言語の設定、ダイナミックレンジコンプレッション機能、ダイアログエンハンサー機能、パレンタルロック機能等に関する設定を行うためのボタン等と、リモコン送信機から送信された信号を受信するリモコン受信部（図示せず）とを備える。ボタン又はリモコン受信部から指示入力があると、その指示入力に対応した指示信号を制御部１１１に出力する。
【００３７】
表示部１１０は、ディスク再生装置１０１に接続されたモニタに、字幕や音声の設定、ダイナミックレンジコンプレッション機能及びダイアログエンハンサー機能のオンオフの設定、パレンタルロック機能等に関する設定等を行うためのメニュー画面を表示する。
【００３８】
制御部１１１は、操作部１０９から入力される指示信号に基づいて、ディスク再生部１０２、データデコーダ１０３、データ分離部１０４、ＡＶデコーダ１０５、オーディオ出力部１０６、ビデオ重畳部１０７、ビデオ出力部１０８を制御する。
【００３９】
制御部１１１は、データデコーダ１０３から出力されたビデオ・タイトル・セット・インフォメーション（ＶＴＳＩ）の管理情報テーブル（ＶＴＳＩ＿ＭＡＴ）から、当該ＤＶＤにおいて複数ストリームのオーディオデータが記録されているか、また、複数ストリームのサブピクチャデータが記録されているかを検出する。
【００４０】
制御部１１１は、当該ＤＶＤに複数ストリームのオーディオストリーム（複数言語の音声）が記録されている場合、当該ＤＶＤは、映画情報が記録されているディスクと判別する。
【００４１】
また、制御部１１１は、当該ＤＶＤに複数ストリームのサブピクチャデータ（複数言語の字幕）が記録されている場合、当該ＤＶＤは映画情報が記録されているディスクと判別する。
【００４２】
ここで、本実施例においては、制御部１１１は、当該ＤＶＤに複数ストリームのオーディオストリーム（複数言語の音声）及び複数ストリームのサブピクチャデータ（複数言語の字幕）が記録されている場合に、当該ＤＶＤは映画情報が記録されているディスクであると判別しているが、いずれか一方の場合に映画情報が記録されているディスクであると判別するようにしてもよい。
【００４３】
また、制御部１１１は、ビデオ・タイトル・セット・インフォメーション（ＶＴＳＩ）の管理情報テーブル（ＶＴＳＩ＿ＭＡＴ）から、当該ＤＶＤのオーディオデータがマルチチャンネルのオーディオデータであるか否かを検出する。
【００４４】
制御部１１１は、当該ＤＶＤが映画情報が記録されているディスクであり、且つ、オーディオデータがマルチチャンネルオーディオデータでない場合、オーディオデータのダイナミックレンジを圧縮するダイナミックレンジコンプレッション機能を作動するように、オーディオデコーダ１１４を制御する。
【００４５】
制御部１１１は、当該ＤＶＤが映画情報が記録されているディスクであり、且つ、オーディオデータがマルチチャンネルオーディオデータである場合、セリフが含まれるセンターチャンネルの信号レベルを増大するダイアログエンハンサー機能を作動するように、オーディオデコーダ１１４を制御する。
【００４６】
制御部１１１は、当該ＤＶＤが映画情報が記録されているディスクであり、且つ、オーディオデータがマルチチャンネルオーディオデータでない場合に、オーディオデータのうち、セリフ等の音声が含まれる周波数帯域の信号レベルを増大するように、オーディオデコーダ１１４を制御してもよい。
【００４７】
制御部１１１は、ダイナミックレンジコンプレッション機能又はダイアログエンハンサー機能がオンの設定であり、新たに装着されたＤＶＤがコンサート等の音楽情報が記録されているディスクである場合、ダイナミックレンジコンプレッション機能又はダイアログエンハンサー機能をオフするように、オーディオデコーダ１１４を制御する。
【００４８】
制御部１１１は、ダイナミックレンジコンプレッション機能又はダイアログエンハンサー機能のオンオフを示す情報をモニタ等に表示するよう表示部１１０を制御するようにしてもよい。
【００４９】
制御部１１１におけるダイナミックレンジコンプレッション機能及びダイアログエンハンサー機能のオンオフを制御について説明する。
図４は、本実施例のディスク再生装置におけるダイナミックレンジコンプレッション機能及びダイアログエンハンサー機能のオンオフを制御する処理を説明するためのフローチャートである。
【００５０】
ディスク再生装置１０１は、初期状態において、ダイナミックレンジコンプレッション機能及びダイアログエンハンサー機能がオフとなっている。
【００５１】
制御部１１１は、ビデオ・タイトル・セット・インフォメーション（ＶＴＳＩ）が入力されると、管理情報テーブル（ＶＴＳＩ＿ＭＡＴ）から、当該ＤＶＤに複数ストリームのオーディオデータが記録されているか否かを検出する（ステップ４０１）。
【００５２】
ＤＶＤに複数ストリームのオーディオデータが記録されている場合、制御部１１１は、当該ＤＶＤは映画情報が記録されているディスクであると判別し、ＤＶＤのオーディオデータがマルチチャンネルのオーディオデータであるか否かを検出する（ステップ４０２）。
【００５３】
ＤＶＤに記録されているオーディオデータがマルチチャンネルオーディオデータである場合には、制御部１１１は、ダイアログエンハンサー機能をオンに設定し、オーディオデコーダ１１４を制御する（ステップ４０３）。
【００５４】
ＤＶＤに記録されているオーディオデータがマルチチャンネルオーディオデータでない場合には、制御部１１１は、ダイナミックレンジコンプレッション機能をオンに設定し、オーディオデコーダ１１４を制御する（ステップ４０４）。
【００５５】
管理情報テーブル（ＶＴＳＩ＿ＭＡＴ）から当該ＤＶＤに複数ストリームのオーディオデータが記録されてない場合（ステップ４０１）、当該ＤＶＤに複数ストリームのサブピクチャデータが記録されているか否かを検出する（ステップ４０５）。
【００５６】
複数ストリームのサブピクチャデータが記録されている場合、制御部１１１は、当該ＤＶＤは映画情報が記録されているディスクであると判別し、当該ＤＶＤのオーディオデータがマルチチャンネルのオーディオデータであるか否かを検出する（ステップ４０２）。
【００５７】
ＤＶＤに記録されているオーディオデータがマルチチャンネルオーディオデータである場合には、制御部１１１は、ダイアログエンハンサー機能をオンに設定し、オーディオデコーダ１１４を制御する（ステップ４０３）。
【００５８】
ＤＶＤに記録されているオーディオデータがマルチチャンネルオーディオデータでない場合には、制御部１１１は、ダイナミックレンジコンプレッション機能をオンに設定し、オーディオデコーダ１１４を制御する（ステップ４０４）。
【００５９】
管理情報テーブル（ＶＴＳＩ＿ＭＡＴ）から当該ＤＶＤに複数ストリームのオーディオデータが記録されておらず（ステップ４０１）、複数ストリームのサブピクチャデータが記録されてない場合（ステップ４０２）、制御部１１１は、当該ＤＶＤは映画情報が記録されていないディスクであると判別し、ダイアログエンハンサー機能及びダイナミックレンジコンプレッション機能をオフに設定し、オーディオデコーダ１１４を制御する（ステップ４０６）。
【００６０】
本実施例のディスク再生装置の再生動作を説明する。
ディスク再生装置１０１に、ＤＶＤが装着され、操作部１０９から再生開始の指示があると、制御部１１１は、ディスク再生部１０２にディスク再生を開始させる。
【００６１】
ディスク再生部１０２で再生された再生データは、データデコーダ１０３によりデコードされ、データ分離部１０４に入力する。データ分離部１０４は、再生データをオーディオデータ、ビデオデータ、サブピクチャデータに分離し、オーディオデータをオーディオデコーダ１１４に出力し、ビデオデータをビデオデコーダ１１３に出力し、サブピクチャデータをサブピクチャデコーダ１１５に出力する。
【００６２】
制御部１１１は、オーディオデコーダ１１４、ビデオデコーダ１１３、サブピクチャデコーダ１１５にそれぞれのデータのデコードを行わせる。
【００６３】
制御部１１１は、再生データのビデオ・タイトル・セットインフォメーションの情報から、当該ＤＶＤに複数ストリームのオーディオデータ又は複数ストリームのビデオデータが記録されているか否かを検出し、当該ＤＶＤが映画情報が記録されてディスクであるか否かを判別する。
【００６４】
また、制御部１１１は、当該ＤＶＤが映画情報が記録されたディスクである場合に、ＤＶＤに記録されたオーディオデータがマルチチャンネルオーディオデータであるか否かを検出し、マルチチャンネルオーディオデータである場合、オーディオデコーダ１１４に、ダイアログエンハンサーの処理を行わせるように制御し、マルチチャンネルオーディオデータでない場合、オーディオデコーダ１１４に、ダイナミックレンジコンプレッションの処理を行わせるように制御する。
【００６５】
オーディオデコーダ１１４は、データ分離部１０４から入力されたオーディオデータから選択されたデータストリームのオーディオデータを抽出し、システムタイムクロックを基準として、オーディオデータをデコードし、オーディオ出力部１０６に出力する。
【００６６】
また、オーディオデコーダ１１４は、制御部１１１の制御により、ダイナミックレンジコンプレッション機能又はダイアログエンハンサー機能がオンの場合、ダイナミックレンジコンプレッションの処理又はダイアログエンハンサーの処理を行い、オーディオデータを出力する。
【００６７】
ビデオデコーダ１１３は、システムタイムクロックを基準として、ビデオデータをデコードしてビデオ重畳部１０７に出力する。サブピクチャデコーダ１１４は、データ分離部１０４から入力されたサブピクチャデータの中から選択されたサブピクチャデータを抽出し、システムタイムクロックを基準としてサブピクチャデータをデコードし、ビデオ重畳部１０７に出力する。
【００６８】
デコードされたビデオデータとサブピクチャデータは、ビデオ重畳部１０７により、ビデオデータにサブピクチャデータが重畳され、ビデオ出力部１０８によりビデオ信号に変換され出力される。
【００６９】
オーディオデコーダ１１４から出力されたオーディオデータは、ビデオ重畳部１０７から出力されるサブピクチャデータが重畳されたビデオデータに同期してオーディオ出力部１０６から出力される。
【００７０】
以上のように、本実施例のディスク再生装置では、メニュー画面をモニタに表示し、ダイナミックレンジコンプレッション機能を又はダイアログエンハンサー機能のオンオフの設定を行う必要がなく、ＤＶＤに記録されている情報を自動的に判別して、記録されている情報に基づいて、ダイナミックレンジコンプレッション機能を又はダイアログエンハンサー機能のオンオフの設定を行うことができる。
【００７１】
したがって、ダイナミックレンジコンプレッション機能を又はダイアログエンハンサー機能のオンオフの設定を行う操作が煩わしいことがない。また、ダイナミックレンジコンプレッション機能を又はダイアログエンハンサー機能のオンオフの設定の変更を行うために、視聴している映画を一時停止する必要がなく、映画鑑賞に支障が生じることがない。
【００７２】
前述したディスク再生装置において、メニュー画面にダイナミックレンジコンプレッション機能及びダイアログエンハンサー機能の自動設定のオンオフの切り替えを設定するようにしてもよい。また、前述したディスク再生装置において、ダイナミックレンジコンプレッション機能及びダイアログエンハンサー機能の自動設定がオンに設定されている場合には、ダイナミックレンジコンプレッション機能及びダイアログエンハンサー機能の自動設定がオンに設定されていることを示す情報をモニタに表示するようにしてもよい。
【００７３】
【発明の効果】
本発明によれば、再生する情報の種類に応じて、自動的にダイナミックレンジコンプレッション機能又はダイアログエンハンサー機能のオンオフの設定を行うことができる。
【図面の簡単な説明】
【図１】本発明のディスク再生装置の一実施例の概略構成を示す模式図。
【図２】ＤＶＤに記録されたデータを説明するための模式図。
【図３】ＤＶＤのデータフォーマットの概略を説明するための模式図。
【図４】本実施例のディスク再生装置におけるダイナミックレンジコンプレッション機能及びダイアログエンハンサー機能のオンオフを制御する処理を説明するためのフローチャート。
【符号の説明】
１０１・・・ディスク再生装置、１０２・・・ディスク再生部、１０３・・・データデコーダ、１０４・・・データ分離部、１０５・・・ＡＶデコーダ、１０６・・・オーディオ出力部、１０７・・・ビデオ重畳部、１０８・・・ビデオ出力部、１０９・・・操作部、１１０・・・表示部、１１１・・・制御部、１１２・・・光ディスク、１１３・・・ビデオデコーダ、１１４・・・オーディオデコーダ、１１５・・・サブピクチャデコーダ。
【図１】
0003748515.tif 000002
【図２】
0003748515.tif 000003
【図３】
0003748515.tif 000004
【図４】
0003748515.tif 000005